(57)【要約】【課題】レーティングテーブルが更新されることに起因して、録画されたレーティング情報を含むデジタルテレビ番組を再生する際に、ユーザが遮断しようとした番組が誤って再生されてしまうことを抑制することが可能なデジタル放送録画再生装置を提供する。【解決手段】このデジタル放送録画再生装置１００は、デジタルテレビ放送を受信する受信部２と、デジタルテレビ放送を記憶する録画用記憶部７と、レーティングテーブル（可変ＲＲＴ）を更新可能に記憶するＲＲＴ記憶部６と、可変ＲＲＴに基づいて視聴制限を行う制御部１とを備え、制御部１は、録画されたデジタルテレビ番組を再生する際に、録画時から可変ＲＲＴが更新されているか否かを認識するとともに、可変ＲＲＴが更新されている場合、ユーザに対し、レーティング情報を含むデジタルテレビ番組の視聴制限を行うか否かを問い合わせるように構成されている。【選択図】図１０
2010093682.tif 000002
【特許請求の範囲】
【請求項１】
放送局から供給され、視聴制限を行う基準となるレーティング情報および複数の前記レーティング情報を定めたレーティングテーブルを含むデジタルテレビ放送信号を受信する受信部と、
前記受信部が受信したデジタルテレビ放送信号を再生可能に記憶する録画用記憶部と、
前記レーティングテーブルを更新可能に記憶するレーティング記憶部と、
前記受信部が受信したデジタルテレビ放送信号に含まれる所定のデジタルテレビ番組の前記録画用記憶部への録画と、録画された前記デジタルテレビ番組の再生と、前記レーティング記憶部に記憶されたレーティングテーブルに基づいて前記レーティング情報を含む前記デジタルテレビ番組の視聴制限とを行う制御部とを備え、
前記制御部は、前記録画用記憶部に録画された前記レーティング情報を含むデジタルテレビ番組を再生する際に、前記レーティング情報を含むデジタルテレビ番組の録画時から前記レーティングテーブルが更新されているか否かを認識するとともに、再生時に前記レーティングテーブルが更新されている場合には、ユーザに対し、前記レーティング情報を含むデジタルテレビ番組の視聴制限を行うか否かを問い合わせるように構成されている、デジタル放送録画再生装置。
【請求項２】
前記制御部は、前記録画されたデジタルテレビ番組の前記レーティング情報が定められた録画時の前記レーティングテーブルのバージョン情報と、前記レーティング記憶部に記憶された再生時の前記レーティングテーブルのバージョン情報とを比較することにより、前記再生時のレーティングテーブルが更新されているか否かを認識するように構成されている、請求項１に記載のデジタル放送録画再生装置。
【請求項３】
前記制御部は、前記レーティング情報を含むデジタルテレビ番組の再生時に、前記再生時のレーティングテーブルが前記録画時のレーティングテーブルから更新されている場合には、ユーザに対して、再生する前記デジタルテレビ番組が前記レーティング情報を含むことを通知するとともに、前記デジタルテレビ番組の再生を行うか否かを確認するように構成されている、請求項１または２に記載のデジタル放送録画再生装置。
【請求項４】
前記制御部は、再生する前記デジタルテレビ番組が前記レーティング情報を含む旨のメッセージを表示装置に表示させることにより、再生する前記デジタルテレビ番組が前記レーティング情報を含むことを通知するように構成されている、請求項３に記載のデジタル放送録画再生装置。
【請求項５】
前記制御部は、前記レーティングテーブルが更新されている場合の録画された前記レーティング情報を含むデジタルテレビ番組の再生時に視聴制限を行うか否かの問い合わせを、前記録画されたレーティング情報を含むデジタルテレビ番組を再生する度に実行するように構成されている、請求項１〜４のいずれか１項に記載のデジタル放送録画再生装置。
【請求項６】
前記制御部は、録画されたデジタルテレビ番組が前記レーティング情報を含まない場合には、前記レーティング情報を含まないデジタルテレビ番組の録画時から前記レーティングテーブルが更新されているか否かを認識することなく、前記レーティング情報を含まないデジタルテレビ番組の再生を行うように構成されている、請求項１〜５のいずれか１項に記載のデジタル放送録画再生装置。
【発明の詳細な説明】
【技術分野】
【０００１】
この発明は、デジタル放送録画再生装置に関し、特に、レーティング情報を含むデジタルテレビ放送信号を受信する受信部を備えたデジタル放送録画再生装置に関する。
【背景技術】
【０００２】
近年、青少年などに不適切な暴力表現や性表現を含むテレビ番組を遮断し、テレビ番組の視聴制限を行うためのＶチップが知られている。このＶチップは、特に北米においては、テレビ放送受信機への搭載が義務付けられている。このＶチップによる視聴制限のため、放送信号には、放送されるテレビ番組の内容を表すとともに視聴制限の基準となるレーティング情報が放送信号に含められている。また、Ｖチップには、複数のレーティングを定めたレーティングテーブル（ＲＲＴ、Ｒａｔｉｎｇ  Ｒｅｇｉｏｎ  Ｔａｂｌｅ）が予め記憶されており、ユーザがこのレーティングテーブルに基づいて視聴制限の設定を行う。Ｖチップは、テレビ番組のレーティング情報を参照して、ユーザが視聴制限の設定をしたレーティングを含むか否かを認識することにより、番組の視聴を制限（遮断）する。また、近年、Ｖチップに書き換え不可能に記憶されていたレーティングテーブルに加えて、更新可能なレーティングテーブルを放送信号に含め、レーティングテーブルの内容を変更することが可能なＶチップが用いられている。
【０００３】
上記のレーティング情報および更新可能なレーティングテーブルを含むデジタルテレビ放送に対応して、従来、レーティング情報を含むデジタルテレビ放送信号を受信する受信部を備えたデジタル放送録画再生装置が知られている（たとえば、特許文献１〜４参照）。
【０００４】
上記特許文献１には、デジタル放送信号を受信する受信部と、レーティング情報を含むデジタルテレビ番組の視聴制限を行う制御部と、デジタルテレビ放送信号に含まれるレーティングテーブル（ＲＲＴ）を更新可能に記憶する不揮発性メモリとを備えたデジタル放送受信装置が開示されている。このデジタル放送受信装置の不揮発性メモリには、更新可能なレーティングテーブル（可変ＲＲＴ）の他に、書き換え不可能なレーティングテーブル（固定ＲＲＴ）が予め記憶されている。デジタル放送信号には、レーティング情報を含むデジタルテレビ番組と、可変ＲＲＴとが含まれている。更新可能な可変ＲＲＴは、供給元の放送局（チャンネル）と対応付けられて不揮発性メモリに記憶されるように構成されている。また、デジタルテレビ番組のレーティング情報には、レーティング情報がどのＲＲＴ（固定ＲＲＴ、可変ＲＲＴ）に基づくかを示す識別子が含まれている。そして、制御部は、各ＲＲＴに含まれる識別子とレーティング情報に含まれる識別子とを比較することにより、可変ＲＲＴに基づくレーティング情報を識別可能に構成されている。制御部は、デジタルテレビ番組のレーティング情報に含まれる識別子と、更新可能な可変ＲＲＴの識別子とを比較し、互いの識別子が一致する場合には更新可能な可変ＲＲＴに基づく視聴制限を行い、識別子が一致しない場合には、固定ＲＲＴに基づく視聴制限を行うように構成されている。
【０００５】
また、上記特許文献２には、放送信号を受信する受信部と、レーティング情報を含む放送番組の視聴制限を行う制御部と、ＲＲＴを予め記憶したメモリとを備えたテレビが開示されている。このテレビの制御部は、メモリに記憶されたＲＲＴの所定のレーティングと、放送番組のレーティングとが一致するか否かを判断し、互いのレーティングが一致すると判断した場合には、テレビの表示部を黒画面にするように構成されている。
【０００６】
また、上記特許文献３には、テレビ信号を受信する受信部と、レーティング情報を含む放送番組の視聴制限を行う制御部と、受信した放送番組を録画するための記録可能媒体とを備えた視聴制限システムが開示されている。この視聴制限システムの制御部は、ユーザが選択した番組のレーティングまたは記録可能媒体からユーザが再生しようとした録画番組のレーティングと、視聴制限対象のレーティングとを比較して、番組（チャンネル）のレーティングが視聴制限対象のレーティングに該当する場合には、ユーザの視聴または再生が禁止されるように構成されている。
【０００７】
また、上記特許文献４には、番組およびレーティングを含む番組情報が入力される入力部と、視聴制限対象のレーティングを設定するレーティング設定部と、番組のレーティングと設定された視聴制限対象のレーティングとを比較するレーティング判定部と、視聴する番組を記録する録画用記憶部とを備えたテレビシステムが開示されている。このテレビシステムのレーティング設定部には、視聴を禁止するレーティング（禁止レーティング）の他、視聴は行うが視聴する際に番組を録画するレーティング（視聴可能レーティング）を設定することができるように構成されている。また、レーティング判定部は、番組のレーティングと設定された視聴制限対象のレーティングとを比較して、番組のレーティングが視聴可能レーティングに一致する場合には、録画用記憶部に番組を記憶させる。これにより、選択した番組が視聴可能レーティングに一致する場合に、番組の視聴時にその番組が録画され、保護者などが子供の視聴した番組の内容を確認することができるように構成されている。
【０００８】
【特許文献１】特開２００８−１４１５７１号公報
【特許文献２】特開２００７−７４３７２号公報
【特許文献３】特開２００１−２６８４６２号公報
【特許文献４】特開２０００−１８４３０５号公報
【発明の開示】
【発明が解決しようとする課題】
【０００９】
しかしながら、上記特許文献１によるデジタル放送受信装置では、レーティング情報が可変ＲＲＴに基づく場合には、デジタルテレビ番組を録画すると、次に再生するまでに可変ＲＲＴが更新されて可変ＲＲＴの内容が変化する場合がある。録画されたデジタルテレビ番組を再生する際には、制御部は、録画時と異なる更新後の可変ＲＲＴに基づいて、録画された番組のレーティング情報に応じた視聴制限を行うことになる。このため、録画時の可変ＲＲＴに基づく設定では遮断されていた番組が、再生時には遮断されることなく再生される場合が起こり得るという不都合がある。このため、可変ＲＲＴが更新されることに起因して、録画されたレーティング情報を含むデジタルテレビ番組を再生する際に、ユーザが遮断しようとした番組が誤って再生されてしまう場合が起こり得るという問題点がある。
【００１０】
また、上記特許文献２によるテレビでは、可変ＲＲＴについては開示されていないが、レーティング情報を含む放送番組の視聴制限が可変ＲＲＴに基づいて行われる場合には、レーティング情報を含むデジタルテレビ番組を録画し、次に再生するまでに可変ＲＲＴが更新されて可変ＲＲＴの内容が変化する場合がある。この場合、メモリに記憶された可変ＲＲＴの内容と、録画番組のレーティングを定める録画時の可変ＲＲＴの内容とが異なるため、録画番組のレーティングに対応するレーティングが存在しない場合や、同じレーティングでも内容が異なる場合が生じうるという不都合がある。このため、可変ＲＲＴが更新されることに起因して、録画されたレーティング情報を含むデジタルテレビ番組を再生する際に、ユーザが遮断しようとした番組が誤って再生されてしまう場合が起こり得るという問題点がある。
【００１１】
また、上記特許文献３による視聴制限システムでは、可変ＲＲＴについては開示されていないが、レーティング情報を含む放送番組の視聴制限が可変ＲＲＴに基づいて行われる場合には、可変ＲＲＴが更新されて録画時の可変ＲＲＴの内容と再生時の可変ＲＲＴの内容とが異なる場合が起こり得る。この場合、記録可能媒体からユーザが再生しようとした録画番組のレーティングと、視聴制限対象のレーティングとを比較する場合に、互いのレーティングが一致しても内容が異なる場合や、同一の内容だがレーティングが異なる場合が生じうるという不都合がある。このため、可変ＲＲＴが更新されることに起因して、録画されたレーティング情報を含むデジタルテレビ番組を再生する際に、ユーザが遮断しようとした番組が誤って再生されてしまう場合が起こり得るという問題点がある。
【００１２】
また、上記特許文献４によるテレビシステムでは、可変ＲＲＴについては開示されていないが、番組のレーティングが可変ＲＲＴに基づく場合には、レーティング設定部の可変ＲＲＴが更新されて録画時の可変ＲＲＴの内容と再生時の可変ＲＲＴの内容とが異なる場合が起こり得る。この場合には、たとえば保護者が禁止レーティングに該当する番組を録画し、子供が再生しようとする際に、レーティング判定部が、録画番組の（更新前の）レーティングと、設定された視聴制限対象の（更新後の）レーティングとを比較して、番組のレーティングが視聴可能レーティングに一致すると判断してしまう場合が考えられる。このため、可変ＲＲＴが更新されることに起因して、録画されたレーティング情報を含むデジタルテレビ番組を再生する際に、ユーザが遮断しようとした番組が誤って再生されてしまう場合が起こり得るという問題点がある。
【００１３】
この発明は、上記のような課題を解決するためになされたものであり、この発明の１つの目的は、レーティングテーブルが更新されることに起因して、録画されたレーティング情報を含むデジタルテレビ番組を再生する際に、ユーザが遮断しようとした番組が誤って再生されてしまうことを抑制することが可能なデジタル放送録画再生装置を提供することである。
【課題を解決するための手段および発明の効果】
【００１４】
この発明の一の局面によるデジタル放送録画再生装置は、放送局から供給され、視聴制限を行う基準となるレーティング情報および複数のレーティング情報を定めたレーティングテーブルを含むデジタルテレビ放送信号を受信する受信部と、受信部が受信したデジタルテレビ放送信号を再生可能に記憶する録画用記憶部と、レーティングテーブルを更新可能に記憶するレーティング記憶部と、受信部が受信したデジタルテレビ放送信号に含まれる所定のデジタルテレビ番組の録画用記憶部への録画と、録画されたデジタルテレビ番組の再生と、レーティング記憶部に記憶されたレーティングテーブルに基づいてレーティング情報を含むデジタルテレビ番組の視聴制限とを行う制御部とを備え、制御部は、録画用記憶部に録画されたレーティング情報を含むデジタルテレビ番組を再生する際に、レーティング情報を含むデジタルテレビ番組の録画時からレーティングテーブルが更新されているか否かを認識するとともに、再生時にレーティングテーブルが更新されている場合には、ユーザに対し、レーティング情報を含むデジタルテレビ番組の視聴制限を行うか否かを問い合わせるように構成されている。
【００１５】
この一の局面によるデジタル放送録画再生装置では、上記のように、制御部を、録画用記憶部に録画されたレーティング情報を含むデジタルテレビ番組を再生する際に、レーティング情報を含むデジタルテレビ番組の録画時からレーティングテーブルが更新されているか否かを認識するとともに、再生時にレーティングテーブルが更新されている場合には、ユーザに対し、レーティング情報を含むデジタルテレビ番組の視聴制限を行うか否かを問い合わせるように構成することによって、レーティングテーブルが更新された場合にも、録画されたレーティング情報を含むデジタルテレビ番組を再生する際に、レーティングテーブルが更新されているか否かを認識するとともに、ユーザに対し、レーティング情報を含むデジタルテレビ番組の視聴制限を行うか否かを問い合わせることができる。これにより、ユーザは、録画時に遮断されていた可能性のある番組に対して、レーティングテーブルの内容が更新により変更された後にも、再度視聴制限を行うことができるので、ユーザが遮断しようとした番組が誤って再生されてしまうことを抑制することができる。
【００１６】
上記一の局面によるデジタル放送録画再生装置において、好ましくは、制御部は、録画されたデジタルテレビ番組のレーティング情報が定められた録画時のレーティングテーブルのバージョン情報と、レーティング記憶部に記憶された再生時のレーティングテーブルのバージョン情報とを比較することにより、再生時のレーティングテーブルが更新されているか否かを認識するように構成されている。このように構成すれば、レーティングテーブルが録画時から再生時の間に更新されているか否かを容易に認識することができる。
【００１７】
上記一の局面によるデジタル放送録画再生装置において、好ましくは、制御部は、レーティング情報を含むデジタルテレビ番組の再生時に、再生時のレーティングテーブルが録画時のレーティングテーブルから更新されている場合には、ユーザに対して、再生するデジタルテレビ番組がレーティング情報を含むことを通知するとともに、デジタルテレビ番組の再生を行うか否かを確認するように構成されている。このように構成すれば、ユーザは、再生するデジタルテレビ番組がレーティング情報を含むことを認識した上で、録画されたデジタルテレビ番組の再生を行うか否かを判断することができる。これにより、ユーザは、再生するデジタルテレビ番組が遮断しようとした番組である可能性を認識するとともに、自らの判断で再生するか否かを決定することができるので、ユーザが遮断しようとした番組が誤って再生されてしまうことをより確実に抑制することができる。
【００１８】
この場合において、好ましくは、制御部は、再生するデジタルテレビ番組がレーティング情報を含む旨のメッセージを表示装置に表示させることにより、再生するデジタルテレビ番組がレーティング情報を含むことを通知するように構成されている。このように構成すれば、ユーザは、デジタルテレビ番組の再生時に、デジタルテレビ番組の映像が表示される表示装置に表示されたメッセージによりレーティング情報を含むことを映像が表示される画面で視覚的に認識することができるので、音声などにより通知する場合と異なり、確実に再生するデジタルテレビ番組がレーティング情報を含むことをユーザに通知することができる。
【００１９】
上記一の局面によるデジタル放送録画再生装置において、好ましくは、制御部は、レーティングテーブルが更新されている場合の録画されたレーティング情報を含むデジタルテレビ番組の再生時に視聴制限を行うか否かの問い合わせを、録画されたレーティング情報を含むデジタルテレビ番組を再生する度に実行するように構成されている。このように構成すれば、たとえば保護者と子供など、複数のユーザが存在する場合や、前回の再生時に適当な視聴制限設定を行わなかった場合にも、各々のユーザが、録画時に遮断されていた可能性のある番組に対して、再度視聴制限を行うことができるので、ユーザが遮断しようとした番組が誤って再生されてしまうことをより確実に抑制することができる。
【００２０】
上記一の局面によるデジタル放送録画再生装置において、好ましくは、制御部は、録画されたデジタルテレビ番組がレーティング情報を含まない場合には、レーティング情報を含まないデジタルテレビ番組の録画時からレーティングテーブルが更新されているか否かを認識することなく、レーティング情報を含まないデジタルテレビ番組の再生を行うように構成されている。このように構成すれば、視聴制限の不要なレーティング情報を含まないデジタルテレビ番組の再生時に、制御部は、レーティングテーブルが更新されているか否かの認識およびこれに伴うユーザへの視聴制限の問い合わせを行うことなく、デジタルテレビ番組を再生するので、ユーザに不要な操作を強いることなく、レーティング情報を含むデジタルテレビ番組の視聴制限のみを行うことができる。
【発明を実施するための最良の形態】
【００２１】
以下、本発明を具体化した実施形態を図面に基づいて説明する。
【００２２】
図１は、本発明の一実施形態によるデジタル放送録画再生装置の構成を示すブロック図である。まず、図１を参照して、本実施形態によるデジタル放送録画再生装置１００の構成を説明する。
【００２３】
図１に示すように、デジタル放送録画再生装置１００は、デジタル放送録画再生装置１００全体の制御を行う制御部１と、放送局から供給されるデジタル放送信号をアンテナ２ａを介して受信する受信部２と、ボリューム、チャンネルなどの変更、および、設定の変更などを行うための入力部３と、制御部１が実行するプログラムやデータを記憶するＲＯＭ４と、制御部１による演算データなどを一時的に記憶するＲＡＭ５と、レーティングテーブル（ＲＲＴ）（固定ＲＲＴおよび可変ＲＲＴ）を記憶するＲＲＴ記憶部６と、受信されたデジタル放送の番組を記憶する録画用記憶部７と、デジタル放送録画再生装置１００の設定情報などを書き換え可能に記憶する不揮発性メモリ８とを備えている。なお、ＲＲＴ記憶部６は、本発明の「レーティング記憶部」の一例である。また、レーティングテーブル（ＲＲＴ）とは、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）による規格ＡＴＳＣ  Ａ／６５Ｃ（Ｐｒｏｇｒａｍ  ａｎｄ  Ｓｙｓｔｅｍ  Ｉｎｆｏｒｍａｔｉｏｎ  Ｐｒｏｔｏｃｏｌ）に基づくＲＲＴ（Ｒａｔｉｎｇ  Ｒｅｇｉｏｎ  Ｔａｂｌｅ）を意味し、本実施形態に記載された構成は、上記規格に従うものである。なお、ＲＲＴには、デジタル放送録画再生装置１００の出荷時に書き換え不可能に記憶される固定ＲＲＴと、デジタル放送信号に含まれ更新可能に記憶される可変ＲＲＴとが含まれる。
【００２４】
また、デジタル放送録画再生装置１００は、表示装置１１０とケーブル１０を介して接続されている。表示装置１１０には、デジタル放送信号から抽出されたデジタルテレビ番組の映像や、デジタル放送録画再生装置１００の設定を表示装置１１０の画面上で行うためのＯＳＤ（Ｏｎ  Ｓｃｒｅｅｎ  Ｄｉｓｐｌａｙ）信号が制御部１からケーブル１０を介して出力されるように構成されている。
【００２５】
デジタル放送録画再生装置１００の制御部１は、受信部２、入力部３、ＲＯＭ４、ＲＡＭ５、ＲＲＴ記憶部６、録画用記憶部７および不揮発性メモリ８とそれぞれ電気的に接続されている。制御部１は、入力部３からの選局信号を受け付けて受信部２に出力するとともに、選局信号に応じたチャンネルのデジタル放送信号を受信部２から受け取るように構成されている。制御部１は、このデジタル放送信号に対して、映像、音声およびレーティング情報を含む各種データの抽出と、データの復号とを含む所定の信号処理を施した後、抽出された映像および音声信号をケーブル１０を介して表示装置１１０に出力するように構成されている。制御部１から出力された映像信号が表示装置１１０に表示されるとともに、音声信号が図示しないスピーカなどにより音声に変換されて出力される。これにより、選局されたデジタル放送のデジタルテレビ番組が視聴可能となる。なお、デジタル放送信号には、デジタルテレビ番組のレーティング情報と、このレーティング情報を各放送局毎に定める更新可能なＲＲＴ（可変ＲＲＴ）とが含まれている。
【００２６】
また、制御部１は、入力部３からの操作信号を受け付けて、デジタル放送録画再生装置１００の設定を行うように構成されている。具体的には、制御部１は、入力部３に入力される選局信号と、各放送局から供給されるデジタル放送信号のチャンネルとの対応付け（チャンネル設定）を行うように構成されている。また、制御部１は、表示装置１１０に出力される映像の位置、画質、スピーカに出力される音声の音質などの設定、および、表示装置１１０に表示される言語の設定などを行うように構成されている。
【００２７】
また、本実施形態では、制御部１は、ＲＲＴ記憶部６に記憶されたＲＲＴに基づいて、レーティング情報を含むデジタルテレビ番組の視聴制限を行うように構成されている。ここで、レーティング情報を含むデジタルテレビ番組の視聴制限のため、ユーザが視聴を制限（遮断）したいレーティング（以下、禁止レーティングとする）が、ＲＲＴが表示された設定画面からユーザにより選択され、不揮発性メモリ８に記憶させておくように構成されている。
【００２８】
また、制御部１は、入力部３からの操作信号に基づき、ユーザにより選択されたデジタルテレビ番組の映像および音声データを録画用記憶部７に出力してデジタルテレビ番組の録画を行うように構成されている。また、この際、録画するデジタルテレビ番組のレーティング情報および可変ＲＲＴを含む番組情報なども録画用記憶部７に出力され、記憶されるように構成されている。また、制御部１は、入力部３からの操作信号に基づき、録画用記憶部７に記憶された映像および音声データを読み込み、表示装置１１０に出力することにより、録画されたデジタルテレビ番組をユーザの選択に応じて再生するように構成されている。
【００２９】
また、本実施形態では、制御部１は、録画用記憶部７に記憶されたレーティング情報を含むデジタルテレビ番組の再生時に、ＲＲＴ記憶部６からＲＲＴのバージョン情報とレーティング情報を含むデジタルテレビ番組の録画時のＲＲＴのバージョン情報とを比較することにより、ＲＲＴがレーティング情報を含むデジタルテレビ番組の録画時から更新されているか否かを認識するように構成されている。このとき、可変ＲＲＴが更新されている場合には、再生するデジタルテレビ番組がレーティング情報を含む旨のメッセージを表示装置１１０に表示させてユーザに通知するとともに、レーティング情報を含むデジタルテレビ番組の再生を実行するか否かを確認するように構成されている。なお、この録画されたデジタルテレビ番組の再生時の処理についての詳細は、後述する。
【００３０】
受信部２は、制御部１から出力された選局信号に基づき、アンテナ２ａにより受信したデジタル放送信号から選局信号に対応したチャンネル（放送局）のデジタル放送信号を抽出してＡＤ変換などを行い、制御部１に出力するように構成されている。
【００３１】
入力部３は、ユーザの操作に基づき、図示しないリモートコントローラなどから送信される赤外線などによる選局信号や操作信号を受信し、制御部１に出力するように構成されている。ユーザは、この入力部３に選局信号および操作信号を送信することにより、ボリューム、チャンネルなどの変更、および、設定の変更を行うように構成されている。なお、入力部３には、図示しない複数のボタンが設けられており、ユーザがリモートコントローラなどを用いることなく、直接デジタル放送録画再生装置１００の操作を行うことが可能なように構成されている。
【００３２】
また、ＲＯＭ４には、制御部１に各種の機能および制御を実行させるためのプログラムおよびデータが記憶されている。制御部１は、入力部３からの操作信号に基づいてＲＯＭ４からプログラムを読み込み、各種制御を行うように構成されている。
【００３３】
ＲＡＭ５は、制御部１によるデータの処理などの演算が行われる際に、データが一時記憶されるメモリである。
【００３４】
また、ＲＲＴ記憶部６は書き換え可能な不揮発性メモリからなり、レーティング情報を含むデジタルテレビ番組の視聴制限を行うためのＲＲＴを記憶する機能を有する。固定ＲＲＴは主として２種類に分類され、テレビ放送番組の視聴制限に関するＴＶ  Ｒａｔｉｎｇと、ＤＶＤなどの記録媒体に記録された映画などの視聴制限に関するＭＰＡＡ  Ｒａｔｉｎｇとからなり、ＴＶ  Ｒａｔｉｎｇには、放送地域によりさらに細分化された複数のＲＲＴが含まれる。
【００３５】
録画用記憶部７は、書き換え可能な不揮発性メモリからなり、制御部１から出力されたデジタルテレビ番組の映像および音声データを記憶することにより、デジタルテレビ番組を録画する機能を有する。録画用記憶部７に録画されたデジタルテレビ番組は、制御部１により読み出されることによって再生される。また、デジタルテレビ番組の録画時には、録画するデジタルテレビ番組のレーティング情報および可変ＲＲＴを含む番組情報、録画日時なども制御部１から出力され、録画用記憶部７に記憶されるように構成されている。
【００３６】
また、不揮発性メモリ８は、制御部１から出力されたデジタル放送録画再生装置１００の設定情報などを書き換え可能に記憶する機能を有する。ＲＲＴに基づく禁止レーティングの設定情報、表示装置１１０への画像表示および音声出力などのデジタル放送録画再生装置１００の設定情報は、不揮発性メモリ８に記憶され、設定に変更が生じた場合には、書き換えられるように構成されている。
【００３７】
図２〜図５は、図１に示したデジタル放送録画再生装置のＲＲＴによる視聴制限の設定画面を表す図である。図６は、ＲＲＴの構成を示す図である。図７は、デジタルテレビ番組のレーティング情報の構成を示す図である。図８および図９は、更新による可変ＲＲＴの内容の変化を説明するための図である。次に、図２〜図９を参照して、本実施形態によるデジタル放送録画再生装置１００の、デジタルテレビ番組の視聴制限の設定動作について説明する。
【００３８】
ＲＲＴによるデジタルテレビ番組の視聴制限の設定動作としては、予めユーザにより視聴を制限（遮断）したい禁止レーティングが、ＲＲＴが表示された設定画面からユーザにより選択され、不揮発性メモリ８に記憶させておく。制御部１は、ユーザによる入力部３からの操作信号に基づき、禁止レーティングの設定を行う。
【００３９】
具体的には、図２に示すように、視聴制限を含むデジタル放送録画再生装置１００の設定動作は、ユーザのリモコン操作などにより表示装置１１０にＯＳＤ信号による設定画面２０を表示して行われる。設定画面２０上には、項目２１ａ〜２１ｆが表示される。項目２１ａは、設定画面から通常のデジタルテレビ番組の画面に戻るための項目である。以下の項目２１ｂ〜２１ｆはデジタル放送録画再生装置１００の各種設定項目であり、項目２１ｂは画面表示に関する設定、項目２１ｃは音声出力に関する設定、項目２１ｄは選局されるチャンネルの設定の項目である。また、項目２１ｅには、ＲＲＴによる視聴制限に関する設定項目が含まれている。また、項目２１ｆは設定画面などに表示される言語の設定項目である。ここで、ユーザは、カーソル２２を上下に移動させて項目２１ｅを選択することにより、ＲＲＴによる視聴制限の設定を行う。表示欄２３には、カーソル２２によって選択された項目２１ｅが表示され、表示欄２３の下側に設定項目が列挙される。図２においては、「Ｖ−ｃｈｉｐ」の項目が表示され、カーソル２４によって選択されている。
【００４０】
図３に示すように、「Ｖ−ｃｈｉｐ」の項目をユーザがカーソル２４により選択すると、各種ＲＲＴに基づく視聴制限設定の項目が表示される。この際、表示欄２３には「Ｖ−ｃｈｉｐ」の項目名が表示され、表示欄２３の下側にはＲＲＴが列挙されている。ここで、「ＭＰＡＡ  Ｒａｔｉｎｇ」および「ＴＶ  Ｒａｔｉｎｇ」は、固定ＲＲＴを示す。また、「Ｄｏｗｎｌｏａｄａｂｌｅ  Ｒａｔｉｎｇ」は、可変ＲＲＴを示している。ここで、ユーザはカーソル２４を移動させて「Ｄｏｗｎｌｏａｄａｂｌｅ  Ｒａｔｉｎｇ」を選択することにより、可変ＲＲＴによる視聴制限の設定が行われる。また、可変ＲＲＴはカーソル２４により「Ｃｌｅａｒ  Ｄｏｗｎｌｏａｄａｂｌｅ  Ｒａｔｉｎｇ」を選択することにより、ＲＲＴ記憶部６から消去することが可能である。
【００４１】
図４に示すように、「Ｄｏｗｎｌｏａｄａｂｌｅ  Ｒａｔｉｎｇ」の項目をユーザが選択すると、可変ＲＲＴに規定されたレーティング項目（Ｄｉｍｅｎｓｉｏｎ）が表示される。このレーティング項目は、視聴制限の仕方に対応して設けられている。具体的には、レーティング項目としては、視聴者の年齢による視聴制限や、番組の内容（暴力的な表現の強さなど）による視聴制限、可変ＲＲＴを供給する放送局独自の仕方による視聴制限など複数の異なる項目が設けられる。ユーザは、カーソル２４により設定を行うレーティング項目（Ｄｉｍｅｎｓｉｏｎ）を選択して、各レーティング項目毎に設定を行う。
【００４２】
図５に示すように、ユーザが「Ｄｉｍｅｎｓｉｏｎ  ３」のレーティング項目を選択すると、表示欄２３には「Ｄｉｍｅｎｓｉｏｎ  ３」の項目名が表示され、そのレーティング項目（Ｄｉｍｅｎｓｉｏｎ  ３）のレベル（Ｖａｌｕｅ）が列挙される。ここで、図５に示すレーティング項目（Ｄｉｍｅｎｓｉｏｎ  ３）には４つのレベル（Ｖａｌｕｅ１〜４）が設けられている。すなわち、このレーティング項目（Ｄｉｍｅｎｓｉｏｎ  ３）は、放送されるデジタルテレビ番組の内容を、所定の基準（視聴者の年齢や暴力的表現の強さなど）に基づいて４段階に分類して視聴制限を行うことを示している。ユーザは、カーソル２４によってＶａｌｕｅ１〜４の所望のレベルを選択し、番組の遮断（視聴制限）を行う。そして、ユーザが選択したレベルには、視聴制限が行われることを表す鍵のマーク２５が表示される。これにより、制御部１は、可変ＲＲＴのどのレーティング項目（図５ではＤｉｍｅｎｓｉｏｎ  ３）の、どのレベル（図５ではＶａｌｕｅ３および４）を遮断するかを認識して、設定を不揮発性メモリ８に記憶させることによって、禁止レーティングの設定が行われる。制御部１は、受信したレーティング情報を含むデジタルテレビ番組の視聴時、または、録画されたレーティング情報を含むデジタルテレビ番組の再生時に、デジタルテレビ番組に含まれるレーティング情報を参照するとともに、ＲＲＴからユーザにより選択された禁止レーティングを不揮発性メモリ８から読み込む。そして、デジタルテレビ番組のレーティングが禁止レーティングに該当する場合には、制御部１により映像および音声が遮断され、視聴制限が実行される。これにより、ユーザである保護者が子供に不適切と考えた禁止レーティングに一致するレーティングを含むデジタルテレビ番組の視聴を制限（遮断）する。
【００４３】
上記のように、可変ＲＲＴには、レーティング項目（Ｄｉｍｅｎｓｉｏｎ）、およびレベル（Ｖａｌｕｅ）が含まれ、１つのＲＲＴには、１つ以上のレーティング項目（Ｄｉｍｅｎｓｉｏｎ）と、それぞれのレーティング項目についての１つ以上のレベル（Ｖａｌｕｅ）とからなるテーブルが構成される。また、固定ＲＲＴも、可変ＲＲＴと略同様の構成を有する。固定ＲＲＴの場合は、これらの情報は変更されることがない。一方、可変ＲＲＴではレーティング項目数およびレベル数が増減可能であるとともに、可変ＲＲＴを供給する各放送局により異なる。したがって、可変ＲＲＴは、更新される場合に、レーティング項目（Ｄｉｍｅｎｓｉｏｎ）名、レベル（Ｖａｌｕｅ）名、レーティング項目（Ｄｉｍｅｎｓｉｏｎ）数およびレベル（Ｖａｌｕｅ）数が変更され得る。このため、可変ＲＲＴにはバージョン情報が含まれ、更新されるたびにバージョン情報も書き換えられる。したがって、可変ＲＲＴに含まれるバージョン情報を確認することにより、可変ＲＲＴが更新されて可変ＲＲＴの内容が変更されたか否かを認識することが可能である。
【００４４】
可変ＲＲＴには、図６に示すように、レーティングに関する各種の情報が含まれる。ｖｅｒｓｉｏｎ＿ｎｕｍｂｅｒ３１には、可変ＲＲＴのバージョンが格納される。放送局から供給された新たな可変ＲＲＴがＲＲＴ記憶部６に記憶されることにより可変ＲＲＴが更新されると、このｖｅｒｓｉｏｎ＿ｎｕｍｂｅｒ３１も改定される。可変ＲＲＴは、各放送局からのデジタル放送信号に含まれるとともに、映像および音声データや番組情報に含まれるレーティング情報とともに取得される。そして、供給される可変ＲＲＴが更新されると制御部１によりＲＲＴ記憶部６に記憶され、最新のバージョンに書き換えられる。一方、この可変ＲＲＴは、デジタルテレビ番組の録画時には番組情報やレーティング情報とともに、録画用記憶部７に記憶される。したがって、録画されたデジタルテレビ番組は、録画時のバージョンのＲＲＴとともに録画用記憶部７に記憶される。
【００４５】
また、ｄｉｍｅｎｓｉｏｎｓ＿ｄｅｆｉｎｅｄ３２には、可変ＲＲＴに含まれるレーティング項目（Ｄｉｍｅｎｓｉｏｎ）の数（図４では３個）が格納される。ｄｉｍｅｎｓｉｏｎ＿ｎａｍｅ＿ｔｅｘｔ（）３３には、レーティング項目の項目名（図４ではＤｉｍｅｎｓｉｏｎ  １〜３）が格納される。また、ｖａｌｕｅｓ＿ｄｅｆｉｎｅｄ３４には、レーティング項目のレベル数が格納され、ｒａｔｉｎｇ＿ｖａｌｕｅ＿ｔｅｘｔ（）３５には、各レベルのレベル名（図５ではＶａｌｕｅ１〜４）が格納されるように構成されている。上記のレーティング項目数（ｄｉｍｅｎｓｉｏｎｓ＿ｄｅｆｉｎｅｄ３２）、レーティング項目の項目名（ｄｉｍｅｎｓｉｏｎ＿ｎａｍｅ＿ｔｅｘｔ（）３３）、レーティング項目のレベル数（ｖａｌｕｅｓ＿ｄｅｆｉｎｅｄ３４）、および、各レベルのレベル名（ｒａｔｉｎｇ＿ｖａｌｕｅ＿ｔｅｘｔ（）３５）は、変更および増減可能であり、可変ＲＲＴの更新に伴い、変更可能に構成されている。また、ｒａｔｉｎｇ＿ｒｅｇｉｏｎ３６には、可変ＲＲＴを特定する識別子が格納される。なお、固定ＲＲＴのｒａｔｉｎｇ＿ｒｅｇｉｏｎには固定ＲＲＴを特定する識別子が格納されるので、固定ＲＲＴと可変ＲＲＴとは、このｒａｔｉｎｇ＿ｒｅｇｉｏｎ３６により区別される。
【００４６】
一方、デジタルテレビ番組に含まれるレーティング情報には、ＲＲＴのレーティング項目（Ｄｉｍｅｎｓｉｏｎ）と、そのレーティング項目のレベル（Ｖａｌｕｅ）が記載されている。また、レーティング情報には、記載されたレーティング項目およびレベルがどのＲＲＴに基づくかを示す識別子が含まれている。この識別子は、可変ＲＲＴまたは固定ＲＲＴのいずれかに対応付けられている。したがって、レーティング情報は、レーティング情報が含まれるデジタルテレビ番組が、どのＲＲＴの、どのレーティング項目の、どのレベルに該当するかを示している。具体的には、レーティング情報には、図７に示す情報が含まれている。レーティング情報は、ｒａｔｉｎｇ＿ｄｉｍｅｎｓｉｏｎ＿ｊ４１と、ｒａｔｉｎｇ＿ｖａｌｕｅ４２とによってデジタルテレビ番組のレーティング項目（Ｄｉｍｅｎｓｉｏｎ）の値と、レーティング項目のレベル（Ｖａｌｕｅ）の値とが格納される。また、ｒａｔｉｎｇ＿ｒｅｇｉｏｎ４３には、所定の固定ＲＲＴまたは可変ＲＲＴを特定する識別子が格納され、レーティング情報が、どのＲＲＴに基づくのかを特定している。したがって、レーティング情報のｒａｔｉｎｇ＿ｒｅｇｉｏｎ４３に格納された識別子が、ｒａｔｉｎｇ＿ｒｅｇｉｏｎ３６（図６参照）に格納された識別子と一致する場合には、そのレーティング情報が可変ＲＲＴに基づくことを表している。これらにより、レーティング情報は、どのＲＲＴにおける、どのレーティング項目（Ｄｉｍｅｎｓｉｏｎ）の、どのレベル（Ｖａｌｕｅ）に該当するのかを示すように構成されている。
【００４７】
以上のようにして、ユーザがＲＲＴの所定のレーティング項目（Ｄｉｍｅｎｓｉｏｎ）の、所定のレベル（Ｖａｌｕｅ）を選択することにより、禁止レーティングが設定される。そして、デジタルテレビ番組の視聴時には、レーティング情報に含まれる特定のＲＲＴ、レーティング項目およびレベルと、対応するＲＲＴの禁止レーティングのレーティング項目およびレベルとが比較され、デジタルテレビ番組のレーティングが禁止レーティングに該当する場合には、番組が遮断されることにより、デジタルテレビ番組の視聴制限が行われる。
【００４８】
なお、上記のレーティング情報には、可変ＲＲＴのバージョンを特定する情報は含まれていない。このため、可変ＲＲＴが更新されてレーティング項目およびレベルの内容に変化が生じた場合に、レーティング情報は変化に対応することができない。リアルタイムの放送においては、放送局により可変ＲＲＴが更新されると、これに伴い放送されるデジタルテレビ番組のレーティング情報も最新の可変ＲＲＴに対応したレーティング情報に修正される。しかしながら、レーティング情報を含むデジタルテレビ番組が録画されるとともに、次に再生するまでの間に可変ＲＲＴが更新される場合には、レーティング情報は、バージョンの異なるＲＲＴにおける所定のレーティング項目のレベルを示すことになってしまう。可変ＲＲＴの更新に伴い、可変ＲＲＴの内容（レーティング項目数やレベル数）が変化した場合には、録画時のレーティング情報と（可変ＲＲＴ更新後の）再生時のレーティング情報とでは、レーティングの内容を定める可変ＲＲＴが異なるために、異なるレーティングを示す場合が発生してしまう。
【００４９】
ここで、デジタルテレビ番組の録画時と再生時とで可変ＲＲＴのバージョンが異なる場合の例を示す。図８に示すように、録画時の可変ＲＲＴが３つのレーティング項目（Ｄｉｍ．１〜３）を含み、Ｄｉｍ．１およびＤｉｍ．２は４つのレベル（Ｖａｌｕｅ１〜４）を含むとともに、Ｄｉｍ．３は５つのレベル（Ｖａｌｕｅ１〜５）を含む。また、Ｄｉｍ．２のＶａｌｕｅ４およびＤｉｍ．３のＶａｌｕｅ３〜５が禁止レーティングに設定されているとする。
【００５０】
そして、図９に示すように、再生時の可変ＲＲＴは、更新によってＤｉｍ．３が削除され、新たにＤｉｍ．４（Ｖａｌｕｅ１〜５）およびＤｉｍ．５（Ｖａｌｕｅ１〜５）が追加されたとする。また、Ｄｉｍ．１のレベルは更新により細分化され、４段階（Ｖａｌｕｅ１〜４）から５段階（Ｖａｌｕｅ１〜５）に変更されたものとする。
【００５１】
ここで、再生しようとするデジタルテレビ番組が、図８に示す録画時の可変ＲＲＴにおいてＤｉｍ．３のＶａｌｕｅ４を示すレーティング情報を有する場合、録画時のＲＲＴにおける禁止レーティングの設定では、再生が遮断されるべき内容であることが分かる。しかし、図７に示すように、レーティング情報には可変ＲＲＴのバージョンを特定する情報が含まれないため、再生時には、図９に示す更新後の可変ＲＲＴにおけるＤｉｍ．３を指定することになる。しかし、更新後の（再生時の）可変ＲＲＴでは、Ｄｉｍ．３が削除されているので、デジタルテレビ番組のレーティングが禁止レーティングに相当するのかが不明となってしまう。このとき、制御部１によりＤｉｍ．３のＶａｌｕｅ４が禁止レーティングに設定されていないと認識される場合には、本来ユーザが遮断しようとした番組が視聴できてしまうこととなってしまう。なお、上記の例に限らず、図８および図９に示すＤｉｍ．１のように、可変ＲＲＴの更新により、レベルが細分化または統合されて、１つのレベルが示すレーティング項目の内容自体が変化した場合などでは、禁止レーティングがレーティング情報の内容と一致せず、ユーザの意に反して番組が遮断されるか、ユーザの意に反して番組が再生されるという事態が起こりうる。
【００５２】
上記のように、デジタルテレビ番組の録画時と再生時とで可変ＲＲＴのバージョンが異なる場合においては、ユーザが禁止レーティングに設定していたデジタルテレビ番組が誤って再生される可能性がある。このため、本実施形態では、制御部１は、可変ＲＲＴが更新されている場合には、再生するデジタルテレビ番組がレーティング情報を含む旨のメッセージを表示装置１１０に表示させてユーザに通知するとともに、レーティング情報を含むデジタルテレビ番組の再生を実行するか否かを確認する。
【００５３】
図１０は、本実施形態によるデジタル放送録画再生装置の録画番組再生時の動作を説明するためのフローチャートである。また、図１１は、レーティング情報を含むデジタルテレビ番組の再生時の画面表示を示す図である。次に、図６、図７、図１０および図１１を参照して、本実施形態によるデジタル放送録画再生装置１００の録画番組再生時の制御動作を説明する。
【００５４】
この制御動作は、入力部３を介して入力されたユーザによる操作入力に基づき、制御部１が録画用記憶部７に記憶されたデジタルテレビ番組の再生を行う際に実行される。図１０に示すように、ステップＳ１において、制御部１により、録画用記憶部７に記憶されたデータが読み出され、再生しようとするデジタルテレビ番組のレーティング情報の有無が確認される。
【００５５】
そして、ステップＳ２において、再生しようとするデジタルテレビ番組にレーティング情報が含まれている場合には、ステップＳ３に移行する。一方、再生しようとするデジタルテレビ番組にレーティング情報が含まれていない場合には、視聴制限を行う必要がないので、ステップＳ９に移行して、制御部１により、デジタルテレビ番組の再生が実行される。
【００５６】
次に、再生しようとするデジタルテレビ番組にレーティング情報が含まれていた場合には、ステップＳ３において、制御部１により、再生しようとするデジタルテレビ番組のレーティング（レーティング情報）が可変ＲＲＴに基づくか否かが判断される。具体的には、制御部１によりデジタルテレビ番組に含まれるレーティング情報のｒａｔｉｎｇ＿ｒｅｇｉｏｎ４３（図７参照）に格納された識別子が参照され、可変ＲＲＴのｒａｔｉｎｇ＿ｒｅｇｉｏｎ３６（図６参照）に格納された識別子と一致するか否かが判断される。なお、レーティング情報のｒａｔｉｎｇ＿ｒｅｇｉｏｎ４３（図７参照）に格納された識別子が可変ＲＲＴの識別子と異なる場合、レーティング情報には、固定ＲＲＴの識別子が格納されている。
【００５７】
ステップＳ３において、再生しようとするデジタルテレビ番組のレーティング（レーティング情報）が可変ＲＲＴに基づくと判断された場合には、ステップＳ４に移行する。ステップＳ４では、制御部１によりＲＲＴ記憶部６に記憶された最新の可変ＲＲＴのバージョン情報（ｖｅｒｓｉｏｎ＿ｎｕｍｂｅｒ３１）（図６参照）が参照され、最新の可変ＲＲＴのバージョンが確認される。一方、制御部１により、録画用記憶部７から再生しようとするデジタルテレビ番組とともに録画された（録画時の）可変ＲＲＴが読み込まれ、バージョン情報（ｖｅｒｓｉｏｎ＿ｎｕｍｂｅｒ３１）（図６参照）から、録画時の可変ＲＲＴのバージョンが確認される。
【００５８】
一方、ステップＳ３において、レーティング情報のｒａｔｉｎｇ＿ｒｅｇｉｏｎ４３（図７参照）に格納された識別子が、可変ＲＲＴのｒａｔｉｎｇ＿ｒｅｇｉｏｎ３６（図６参照）に格納された識別子と一致しない場合には、ステップＳ５へ移行する。この場合、レーティング情報は固定ＲＲＴに基づく。したがって、制御部１により不揮発性メモリ８から固定ＲＲＴの禁止レーティングが参照され、レーティング情報に含まれたレーティングが固定ＲＲＴの禁止レーティングに該当するか否かが判断される。これにより、再生しようとするデジタルテレビ番組が視聴制限対象に該当するか否かが判断される。再生しようとするデジタルテレビ番組が視聴制限対象に該当しない場合には、ステップＳ９に移行して、制御部１により番組の再生が開始される。再生しようとするデジタルテレビ番組が視聴制限対象に該当する場合には、ステップＳ１０に移行して、制御部１は、番組の再生を取りやめる。
【００５９】
また、ステップＳ４で可変ＲＲＴのバージョンが確認されると、ステップＳ６において、再生しようとするデジタルテレビ番組の録画時の可変ＲＲＴのバージョンと、再生時の（最新の）可変ＲＲＴのバージョンとが一致するか否かが、制御部１により判断される。これにより、再生しようとするデジタルテレビ番組の録画時から可変ＲＲＴが更新されているか否かが認識される。可変ＲＲＴのバージョンが一致する場合には、ステップＳ５に移行する。一方、可変ＲＲＴのバージョンが異なる場合には、ステップＳ７に移行する。
【００６０】
デジタルテレビ番組の録画時と再生時とで可変ＲＲＴのバージョンが異なる場合には、ステップＳ７において、制御部１により、再生しようとするデジタルテレビ番組がレーティング情報を含む番組であることが表示されるとともに、ユーザに対して、再生を行うかどうかを確認する表示が表示装置１１０に出力される。具体的には、図１１に示すように、表示装置１１０にメッセージ画面５０がＯＳＤ表示される。図１１において、表示欄５１には、再生しようとする番組名が表示される。また、表示欄５２には、再生しようとするデジタルテレビ番組がレーティング情報を含む旨および再生の実行を確認する旨のメッセージが表示されるとともに、「ＯＫ」「キャンセル」の選択肢を表示して、カーソル５３によりユーザに番組に再生を行うか否かを選択させる。
【００６１】
そして、ステップＳ８において、図１１に示すように、再生の実行を確認する選択肢でユーザが「ＯＫ（番組を視聴）」を選択した場合には、ステップＳ９に移行して、制御部１によりデジタルテレビ番組の再生が実行される。一方、上記の再生の実行を確認する選択肢でユーザが「キャンセル（番組を視聴しない）」を選択した場合には、ステップＳ１０に移行して、録画されたデジタルテレビ番組の再生が制御部１により取りやめられる。
【００６２】
また、ステップＳ６において、再生しようとするデジタルテレビ番組の録画時の可変ＲＲＴのバージョンと、現時点に置ける再生時の可変ＲＲＴのバージョンとが一致する場合には、ステップＳ５に移行して、制御部１により、再生しようとするデジタルテレビ番組のレーティングが、設定された禁止レーティングに該当するか否かが判断される。つまり、ユーザにより禁止レーティングに設定された可変ＲＲＴのレーティング項目およびレベルが、デジタルテレビ番組のレーティング情報により示されるレーティング項目およびレベルと一致するか否かが判断される。
【００６３】
そして、ステップＳ５において、再生しようとするデジタルテレビ番組のレーティングがユーザの設定した禁止レーティングに該当しない場合には、ステップＳ９に移行して、制御部１によりデジタルテレビ番組の再生が行われる。一方、再生しようとするデジタルテレビ番組のレーティングがユーザの設定した禁止レーティングに該当する場合には、ステップＳ１０に移行して、制御部１によりデジタルテレビ番組の再生が遮断され、番組の再生が取りやめられることとなる。
【００６４】
以上のようにして、録画用記憶部７に録画されたデジタルテレビ番組の再生時には、制御部１が可変ＲＲＴのバージョンを確認するとともに、バージョンが異なる場合には、ユーザに再生の可否を確認する。なお、この動作制御は、録画用記憶部７に録画されたデジタルテレビ番組の再生時には、毎回行われる。すなわち、録画されたレーティング情報を含むデジタルテレビ番組を再生する度に実行する。
【００６５】
本実施形態では、上記のように、制御部１を、録画用記憶部７に録画されたレーティング情報を含むデジタルテレビ番組を再生する際に、レーティング情報を含むデジタルテレビ番組の録画時から可変ＲＲＴが更新されているか否かを認識するとともに、再生時に可変ＲＲＴが更新されている場合には、ユーザに対し、レーティング情報を含むデジタルテレビ番組の視聴制限を行うか否かを問い合わせるように構成することによって、可変ＲＲＴが更新された場合にも、録画されたレーティング情報を含むデジタルテレビ番組を再生する際に、可変ＲＲＴが更新されているか否かを認識するとともに、ユーザに対し、レーティング情報を含むデジタルテレビ番組の視聴制限を行うか否か（再生を行うか取りやめるか）を問い合わせることができる。これにより、ユーザは、録画時に遮断されていた可能性のあるデジタルテレビ番組に対して、可変ＲＲＴの内容が更新により変更された後にも、再度視聴制限を行う（番組の再生取りやめ）ことができるので、ユーザが遮断しようとした番組が誤って再生されてしまうことを抑制することができる。
【００６６】
また、本実施形態では、上記のように、制御部１を、録画されたデジタルテレビ番組のレーティング情報が定められた録画時の可変ＲＲＴのバージョン情報（ｖｅｒｓｉｏｎ＿ｎｕｍｂｅｒ３１）（図６参照）と、ＲＲＴ記憶部６に記憶された再生時の可変ＲＲＴのバージョン情報（ｖｅｒｓｉｏｎ＿ｎｕｍｂｅｒ３１）とを比較することにより、再生時の可変ＲＲＴが更新されているか否かを認識するように構成することによって、可変ＲＲＴが録画時から再生時の間に更新されているか否かを容易に認識することができる。
【００６７】
また、本実施形態では、上記のように、制御部１を、レーティング情報を含むデジタルテレビ番組の再生時に、再生時の可変ＲＲＴが録画時の可変ＲＲＴから更新されている場合には、ユーザに対して、再生するデジタルテレビ番組がレーティング情報を含むことを通知するとともに、デジタルテレビ番組の再生を行うか否かを確認するように構成することによって、ユーザは、再生するデジタルテレビ番組がレーティング情報を含むことを認識した上で、録画されたデジタルテレビ番組の再生を行うか否かを判断することができる。これにより、ユーザは、再生するデジタルテレビ番組が遮断（視聴制限）しようとした番組である可能性を認識するとともに、自らの判断で再生するか否かを決定することができるので、ユーザが遮断しようとした番組が誤って再生されてしまうことをより確実に抑制することができる。
【００６８】
また、本実施形態では、上記のように、制御部１を、再生するデジタルテレビ番組がレーティング情報を含む旨のメッセージを表示装置１１０に表示させることにより、再生するデジタルテレビ番組がレーティング情報を含むことを通知するように構成することによって、ユーザは、デジタルテレビ番組の再生時に、デジタルテレビ番組の映像が表示される表示装置１１０にＯＳＤ表示されたメッセージによりレーティング情報を含むことを映像が表示される画面で視覚的に認識することができるので、音声などにより通知する場合と異なり、確実に再生するデジタルテレビ番組がレーティング情報を含むことをユーザに通知することができる。
【００６９】
また、本実施形態では、上記のように、制御部１は、可変ＲＲＴが更新されている場合の録画されたレーティング情報を含むデジタルテレビ番組の再生時に視聴制限を行うか否かの問い合わせを、録画されたレーティング情報を含むデジタルテレビ番組を再生する度に実行するように構成することによって、たとえば保護者と子供など、複数のユーザが存在する場合や、前回の再生時に適当な視聴制限設定を行わなかった場合にも、各々のユーザが、録画時に遮断されていた可能性のある番組に対して、再度視聴制限を行うことができるので、ユーザが遮断しようとした番組が誤って再生されてしまうことをより確実に抑制することができる。
【００７０】
また、本実施形態では、上記のように、制御部１を、録画されたデジタルテレビ番組がレーティング情報を含まない場合には、レーティング情報を含まないデジタルテレビ番組の録画時から可変ＲＲＴが更新されているか否かを認識することなく、レーティング情報を含まないデジタルテレビ番組の再生を行うように構成することによって、視聴制限の不要なレーティング情報を含まないデジタルテレビ番組の再生時に、制御部１は、可変ＲＲＴが更新されているか否かの認識およびこれに伴うユーザへの視聴制限の確認を行うことなく、デジタルテレビ番組を再生するので、ユーザに不要な操作を強いることなく、レーティング情報を含むデジタルテレビ番組の視聴制限のみを行うことができる。
【００７１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７２】
たとえば、上記実施形態では、デジタル放送録画再生装置１００を、表示装置１１０とケーブル１０を介して接続されるように構成した例を示したが、本発明はこれに限らず、デジタル放送録画再生装置と表示装置とは、一体的に構成されていてもよい。すなわち、デジタル放送録画再生装置はデジタルテレビジョンに内蔵されていてもよい。また、デジタル放送録画再生装置は、デジタルテレビ放送の受信を行うための、いわゆるセットトップボックス、ホームターミナルおよびチューナーなどの装置と一体的に構成されていてもよい。
【００７３】
また、上記実施形態では、制御部１は映像および音声信号をケーブル１０を介して表示装置１１０に出力し、入力部３からの操作信号を受け付けて、デジタル放送録画再生装置１００の設定を行うなど、デジタル放送録画再生装置１００全体の制御を行うように構成されている例を示したが、本発明はこれに限らず、制御部は、デジタル放送録画再生装置の全体の制御を行う必要はない。制御部は、録画用記憶部へのデジタルテレビ番組の録画および再生と、レーティング記憶部に記憶されたＲＲＴに基づくデジタルテレビ番組の視聴制限とを行うように構成されていればよい。したがって、デジタル放送録画再生装置の全体の制御を行う専用の制御部が別途設けられていてもよい。また、制御部は、複数の制御部から構成されていてもでもよい。
【００７４】
また、上記実施形態では、制御部１は、ＲＲＴ記憶部６に記憶された再生時の可変ＲＲＴのバージョン情報と、レーティング情報を含むデジタルテレビ番組の録画時の可変ＲＲＴのバージョン情報とを比較することにより、可変ＲＲＴが更新されているか否かを認識するように構成されている例を示したが、本発明はこれに限らず、制御部は、可変ＲＲＴのバージョン情報を比較する以外の方法により、可変ＲＲＴが更新されているか否かを認識するように構成してもよい。たとえば、制御部は、デジタルテレビ番組の録画日時および可変ＲＲＴの更新日時とを比較して、デジタルテレビ番組録画時と再生時との間に可変ＲＲＴが更新されていたか否かを認識するように構成されていてもよい。また、たとえば、制御部は、可変ＲＲＴが更新されると、更新時点で録画用記憶部に録画されている全てのデジタルテレビ番組に可変ＲＲＴが更新されたことを示す情報を付加するとともに、再生時にこの情報を確認することにより、可変ＲＲＴの更新を認識するように構成してもよい。
【００７５】
また、上記実施形態では、制御部１を、可変ＲＲＴが更新されている場合には、再生するデジタルテレビ番組がレーティング情報を含む旨のメッセージを表示装置１１０に表示させてユーザに通知するとともに、レーティング情報を含むデジタルテレビ番組の再生を実行するか否かを確認するように構成した例を示したが、本発明はこれに限らず、再生するデジタルテレビ番組がレーティング情報を含む旨のメッセージを表示させてユーザに通知する必要はない。制御部は、レーティング情報を含むデジタルテレビ番組の再生を実行するか否かの確認のみを行うように構成してもよい。また、制御部は、可変ＲＲＴが更新されている旨、および、再生するデジタルテレビ番組のレーティングが録画時の可変ＲＲＴにおいて禁止レーティングに該当していた可能性がある旨をユーザに通知するように構成されていてもよい。制御部は、可変ＲＲＴが更新されている場合には、レーティング情報を含むデジタルテレビ番組の視聴制限を行うか否かをユーザに問い合わせればよい。
【００７６】
また、上記実施形態では、制御部１は、可変ＲＲＴが更新されている場合の録画されたレーティング情報を含むデジタルテレビ番組の再生時に再生を実行するか否かの問い合わせを、録画されたレーティング情報を含むデジタルテレビ番組を再生する度に実行するように構成された例を示したが、本発明はこれに限らず、制御部は、再生を実行するか否かの問い合わせを、録画されたレーティング情報を含むデジタルテレビ番組を再生する度に実行する必要はない。制御部は、再生を実行するか否かの問い合わせをユーザに対して行うとともに、改めてレーティング情報を含むデジタルテレビ番組の視聴制限の設定を行うか否かをユーザに問い合わせるように構成してもよい。
【００７７】
また、上記実施形態では、制御部１は、ＲＲＴに基づく禁止レーティングの設定を不揮発性メモリ８に記憶させるように構成された例を示したが、本発明はこれに限らず、禁止レーティングの設定情報を、不揮発性メモリ８に記憶させる必要はなく、ＲＲＴ記憶部６または録画用記憶部７に禁止レーティングの設定情報を記憶するように構成してもよい。
【００７８】
また、上記実施形態では、制御部１を、再生しようとするデジタルテレビ番組のレーティング情報の有無を確認し、再生しようとするデジタルテレビ番組にレーティング情報が含まれている場合には、録画時から可変ＲＲＴが更新されているか否かを認識して、再生を実行するか否かを確認するように構成した例を示したが、本発明はこれに限らず、制御部を、再生しようとするデジタルテレビ番組にレーティング情報が含まれるか否かに関わらず可変ＲＲＴが更新されているか否かを認識して、デジタルテレビ番組にレーティング情報が含まれる場合には、可変ＲＲＴが更新されている旨を通知するとともに再生を実行するか否かを確認し、レーティング情報が含まれていない場合には、可変ＲＲＴが更新されている旨の通知のみを行うように構成してもよい。
【図面の簡単な説明】
【００７９】
【図１】本発明の一実施形態によるデジタル放送録画再生装置の構成を示すブロック図である。
【図２】図１に示した一実施形態によるデジタル放送録画再生装置のＲＲＴによる視聴制限の設定画面を説明するための図である。
【図３】図１に示した一実施形態によるデジタル放送録画再生装置のＲＲＴによる視聴制限の設定画面を説明するための図である。
【図４】図１に示した一実施形態によるデジタル放送録画再生装置のＲＲＴによる視聴制限の設定画面を説明するための図である。
【図５】図１に示した一実施形態によるデジタル放送録画再生装置のＲＲＴによる視聴制限の設定画面を説明するための図である。
【図６】本発明の一実施形態によるレーティングテーブル（ＲＲＴ）の構成を示す図である。
【図７】本発明の一実施形態によるデジタルテレビ番組に含まれるレーティング情報の構成を示す図である。
【図８】本発明の一実施形態による可変ＲＲＴの録画時の構成の一例を示す図である。
【図９】本発明の一実施形態による可変ＲＲＴの再生時の構成の一例を示す図である。
【図１０】本発明の一実施形態によるデジタル放送録画再生装置の録画番組再生時の動作を説明するためのフローチャートである。
【図１１】本発明の一実施形態によるデジタル放送録画再生装置のレーティング情報を含むデジタルテレビ番組の再生時の画面表示を示す図である。
【符号の説明】
【００８０】
１  制御部
２  受信部
６  ＲＲＴ記憶部（レーティング記憶部）
７  録画用記憶部
１００  デジタル放送録画再生装置
【図１】
2010093682.tif 000003
【図２】
2010093682.tif 000004
【図３】
2010093682.tif 000005
【図４】
2010093682.tif 000006
【図５】
2010093682.tif 000007
【図６】
2010093682.tif 000008
【図７】
2010093682.tif 000009
【図８】
2010093682.tif 000010
【図９】
2010093682.tif 000011
【図１０】
2010093682.tif 000012
【図１１】
2010093682.tif 000013